(57)【特許請求の範囲】
【請求項１】
マルチバンドスペクトル拡散通信装置であって、
上記装置はマルチバンドスペクトル拡散変調器を備え、
上記変調器はデュアルバンド周波数発生源を備え、
上記デュアルバンド周波数発生源は、
第１の周波数を発生し、シンセサイザ周波数出力範囲を有し、上記第１の周波数範囲が上記シンセサイザ周波数出力範囲内にある唯一の周波数シンセサイザと、
第２の周波数を発生する周波数発生源と、
上記周波数シンセサイザと上記周波数発生源とに接続された複数の入力を有し、第１と第２の出力周波数範囲を有する乗算器とを備え、
上記第１の出力周波数範囲は、上記第１の周波数と上記第２の周波数との和によって定義され、
上記第２の出力周波数範囲は、上記第１の周波数と上記第２の周波数との差によって定義され、
上記シンセサイザ周波数出力範囲は、上記第１又は第２の出力周波数範囲の最低周波数から上記第１又は第２の出力周波数範囲の最高周波数までの範囲よりも狭く、
上記変調器は、
上記デュアルバンド周波数発生源に接続され、入力されるデータ列のデータビットが第１のビットであるとき上記第１の出力周波数範囲の信号を出力し、上記入力されるデータ列のデータビットが第２のビットであるとき上記第２の出力周波数範囲の信号を出力するバイナリエンコーダを備えたことを特徴とするマルチバンドスペクトル拡散通信装置。
【請求項２】
上記バイナリエンコーダは、スペクトル拡散エンコーダを備えた請求項１記載の装置。
【請求項３】
上記周波数シンセサイザは、
基準周波数信号源と、
Ｎで分周するプログラマブルカウンタと、
上記Ｎで分周するプログラマブルカウンタと上記基準周波数信号源とに接続された複数の入力を有する乗算器と、
上記乗算器に接続された入力を有しかつ、上記Ｎで分周するプログラマブルカウンタに接続された出力を有する電圧制御型発振器とを備えた請求項１記載の装置。
【請求項４】
上記第１と第２の出力周波数範囲の両方における周波数を有する信号は一度に送信される請求項１記載の装置。
【請求項５】
受信機をさらに備えた請求項１記載の装置。
【請求項６】
１個の周波数シンセサイザを用いて第１の周波数を発生するステップと、
第２の周波数を発生するステップと、
上記第１の周波数と上記第２の周波数とを乗算して第１と第２の出力周波数範囲を有する信号を発生するステップとを含み、
上記第１の出力周波数範囲は上記第１と第２の周波数の和によって定義され、上記第２の出力周波数範囲は上記第１の周波数と上記第２の周波数との差によって定義され、
ここで、上記周波数シンセサイザは、上記第１又は第２の出力周波数範囲の最低周波数から上記第１又は第２の出力周波数範囲の最高周波数までの範囲よりも狭いシンセサイザ周波数出力範囲を有し、
上記信号を符号化するステップを含み、
上記符号化するステップは、入力されるデータ列のデータビットが第１のビットであるとき上記第１の出力周波数範囲の信号を出力し、上記入力されるデータ列のデータビットが第２のビットであるとき上記第２の出力周波数範囲の信号を出力するステップを含むことを特徴とするマルチバンドスペクトル拡散通信の方法。
【請求項７】
上記符号化するステップは、スペクトル拡散の符号化を行うことを含む請求項６記載の方法。
【請求項８】
上記第１の周波数を発生するステップは、
基準周波数信号を発生するステップと、
電圧制御型発振器に接続されたＮで分周するプログラマブルカウンタから信号を発生するステップと、
上記基準信号と、上記Ｎで分周するプログラマブルカウンタからの信号とを乗算して乗算された信号を発生するステップと、
上記乗算された信号を上記電圧制御型発振器に入力して、上記第１の周波数を発生するステップとを含む請求項６記載の方法。
【請求項９】
上記第１と第２の出力周波数範囲の両方における周波数を有する信号は一度に送信される請求項６記載の方法。
【請求項１０】
複数のスペクトル拡散信号を受信するステップをさらに備える請求項６記載の方法。
【発明の詳細な説明】
発明の背景
１．発明の分野
この発明は、２つのスペクトル拡散通信バンドを使用するデュアルモード無線装置に関する。
２．関連技術の説明
無線電話システムにおけるスペクトル拡散変調において、１つを超える周波数帯（又は周波数バンド）における動作は、周波数帯間の広い分離のために、難しい。例えば、９００ＭＨｚ帯と１８００ＭＨｚ帯における動作は、周波数スペクトルにおいて約１０００ＭＨｚをカバーすることができるシンセサイザを必要とする。しかしながら、例えば電話などの手で持てるハンドヘルド装置において、１つを超えるシンセサイザ又は１つを超える発振器でさえ使用することは、増大されるコスト、重量及び関係する理由のために、所望されない。
従って、１個の比較的狭帯域のシンセサイザが１つを超える動作周波数帯で動作するスペクトル拡散システムを提供することが有利である。
発明の要約
本発明は、２つの動作周波数帯を供給するための１個の比較的狭帯域のシンセサイザを使用するデュアルモードスペクトル拡散変調器を提供する。より低い周波数帯（周波数範囲）において、上記シンセサイザは高い側の注入モードで動作する一方、より高い周波数範囲において、上記シンセサイザは低い側の注入モードで動作する。好ましい実施例においては、より低い周波数範囲は約１８５０から１９９０ＭＨｚまでを含む一方、より高い周波数範囲は約２４００から２４８３．５ＭＨｚまでを含む。
【図面の簡単な説明】
図１は、２つの周波数帯を有するデュアルモードスペクトル拡散変調器を示す。
図２は、プログラマブル周波数発生器を示す。
好ましい実施例の説明
図１は、２つの周波数帯を有するデュアルモードスペクトル拡散変調器を示す。
第１の周波数発生源（又は周波数発生器）１０１は第１の周波数ｆ１  １０２を発生する一方、第２の周波数発生源１０３は第２の周波数ｆ２  １０４を発生する。第１の周波数ｆ１  １０２と第２の周波数ｆ２  １０４は乗算器（マルチプライヤ）１０５に入力され、乗算器１０５は２つの周波数範囲ｆＬ  １０７及びｆＨ  １０８にわたって周波数分布を有する２つのモードを有するバイモーダル信号１０６を発生する。好ましい実施例においては、２つの周波数ｆＬ  １０７（ｆＬ＝ｆ１−ｆ２）のうちのより低い周波数は約１８５０から１９９０ＭＨｚまでの範囲にわたり、一方、２つの周波数ｆＨ  １０８（ｆＨ＝ｆ１＋ｆ２）のうちのより高い周波数は約２４００から２４８３．５ＭＨｚまでの範囲にわたる。２つの周波数ｆ１及びｆ２のうちの１つ、例えばｆ２が２つの範囲の間で例えば約２２００ＭＨｚと選択され、他の周波数、例えばｆ１が、約３００と４４０ＭＨｚの間で選択される。
バイモーダル信号１０６はデータ列１１０を符号化するためのバイナリエンコーダ１０９に入力される。一連のデータビット列１１１を含むデータ列１１０はバイナリエンコーダ１０９に入力され、バイナリエンコーダ１０９は、データ列１１０におけるデータビット１１１が“０”ビットであるとき第１の周波数、例えばｆＬ  １０７を発生し、データ列１１０におけるデータビット１１１が“１”ビットであるときは、第２の周波数、例えばｆＨ  １０８を発生する。
本発明はまた、（ｆ１＋ｆ２）と（ｆ１−ｆ２）の両方を１個の局部発振器を用いて同一の中間周波数に、低い周波数への周波数変換（ダウンコンバージョン）することができるので、一度で各周波数帯（各バンド）における周波数をモニタ（検出）するために（もしくは、各周波数帯における１つの周波数で送信するために）提供する。中間周波数が２６０ＭＨｚでありかつ局部発振器が２１８０ＭＨｚに設定されるとき、本発明は、１９２０ＭＨｚと２４４０ＭＨｚの両方で動作することを可能にする。局部発振器が１０ＭＨｚだけ高い周波数に設定されるとき、本発明は、１９３０ＭＨｚと２４５０ＭＨｚの両方、すなわちそれぞれ１０ＭＨｚだけ高い２つの周波数で動作することを可能にする。従って、対にされた周波数のために、本発明は、対にされた周波数におけるいずれか一方の周波数（又は両方の周波数）で受信又は送信することを可能にする。
図２は、プログラマブル周波数発生器を示す。
基準周波数信号２０１は、乗算器２０２に入力される。乗算器２０２は信号ｆ（ｓ）２０３を発生し、当該信号ｆ（ｓ）２０３は電圧制御型発振器（ＶＣＯ）２０４に入力される。ＶＣＯ２０４は出力ノード（出力端子）２０５に入力され、出力ノード２０５は出力周波数信号２０６を供給し、また帰還形式で、Ｎで分周するプログラマブル分周カウンタ２０７を介して乗算器２０２に接続される。上記Ｎで分周するプログラマブル分周カウンタ２０８は１組の制御ライン２０９によってプログラムされてもよい。
とって代わる実施例
複数の実施例がここに開示されたが、本発明の概念や範囲内で存在する多くの変形例が可能であり、これらの変形例は、ここで添付した明細書、図面及び請求の範囲を熟読した後、当業者に明らかになるであろう。
例えば、送信のために符号化される情報はここでは“データ”として参照したが、この明細書を熟読した後、これらのデータはデータ、（デジタル的に符号化された、又はそれではない）音声、エラー訂正符号、制御情報、又は他の信号を備えること、このことは本発明の範囲内であることは、当業者にとって明らかになるであろう。
【図１】
0003692140.tif 000002
【図２】
0003692140.tif 000003